【手続補正書】
【提出日】平成23年6月21日(2011.6.21)
【手続補正１】
【補正対象書類名】特許請求の範囲
【補正対象項目名】全文
【補正方法】変更
【補正の内容】
【特許請求の範囲】
【請求項１】
複数の色光を色光毎に画像情報に応じて変調する複数の反射型光変調装置と、
前記反射型光変調装置に照射される光束および前記反射型光変調装置で変調された光束を偏光分離する複数の反射型偏光板と、
前記複数の反射型光変調装置にて変調され前記複数の反射型偏光板にて偏光分離された光束がそれぞれ入射する複数の光束入射側端面、および光束射出側端面を有し、入射した各光束を合成して画像光を形成し、前記画像光を前記光束射出側端面から射出する色合成光学装置と、
前記反射型光変調装置および前記反射型偏光板を支持する複数の取付部材と、
前記取付部材を支持し前記光束入射側端面に固定する複数の調整部材とを備え、
前記取付部材および前記調整部材のいずれか一方には、他方に突出する係合突起部が設けられ、
前記取付部材および前記調整部材のいずれか他方には、前記係合突起部が遊嵌状態で挿入される係合受け部が設けられ、
前記係合突起部または前記係合受け部のいずれかは、前記取付部材の天面および底面のそれぞれに設けられている
ことを特徴とする光学装置。
【請求項２】
請求項１に記載の光学装置において、
前記調整部材は、前記光束入射側端面に取り付けられる本体と、前記本体から光束入射側に突出し、前記取付部材を挟持する一対の腕部とを備え、
前記一対の腕部には、他方の前記腕部に向けて突出する前記係合突起部がそれぞれ形成され、
前記取付部材における天面および底面には、前記係合突起部に対応して凹状の前記係合受け部がそれぞれ形成されている
ことを特徴とする光学装置。
【請求項３】
請求項２に記載の光学装置において、
前記取付部材における前記各側壁部には、前記係合受け部に接続し、前記各側壁部に交差する他の側壁部に向けて延びる挿入用溝がそれぞれ形成され、
前記係合突起部は、前記取付部材を前記一対の腕部間に差し込むことで、前記挿入用溝を介して前記係合受け部内に位置付けられる
ことを特徴とする光学装置。
【請求項４】
請求項３に記載の光学装置において、
前記係合受け部は、前記光束入射側端面に直交する第１方向に沿って延びるように形成され、
前記挿入用溝は、前記第１方向に直交する第２方向に傾斜して延びるように形成されている
ことを特徴とする光学装置。
【請求項５】
請求項１から請求項４のいずれかに記載の光学装置において、
前記複数の反射型光変調装置にて変調され前記複数の反射型偏光板にて偏光分離された光束がそれぞれ入射する複数の光学素子を備え、
前記取付部材は、内部の空間に連通する３つの開口部が形成された中空部材で構成され、
前記３つの開口部は、前記反射型光変調装置、前記反射型偏光板、および前記光学素子にてそれぞれ閉塞されている
ことを特徴とする光学装置。
【請求項６】
請求項５に記載の光学装置において、
前記取付部材と前記調整部材との間には、隙間が形成されている
ことを特徴とする光学装置。
【請求項７】
光源装置と、請求項１から請求項６のいずれかに記載の光学装置と、投射レンズとを備えている
ことを特徴とするプロジェクタ。
【手続補正２】
【補正対象書類名】明細書
【補正対象項目名】０００８
【補正方法】変更
【補正の内容】
【０００８】
本発明の光学装置は、複数の色光を色光毎に画像情報に応じて変調する複数の反射型光変調装置と、前記反射型光変調装置に照射される光束および前記反射型光変調装置で変調された光束を偏光分離する複数の反射型偏光板と、前記複数の反射型光変調装置にて変調され前記複数の反射型偏光板にて偏光分離された光束がそれぞれ入射する複数の光束入射側端面、および光束射出側端面を有し、入射した各光束を合成して画像光を形成し、前記画像光を前記光束射出側端面から射出する色合成光学装置と、前記反射型光変調装置および前記反射型偏光板を支持する複数の取付部材と、前記取付部材を支持し前記光束入射側端面に固定する複数の調整部材とを備え、前記取付部材および前記調整部材のいずれか一方には、他方に突出する係合突起部が設けられ、前記取付部材および前記調整部材のいずれか他方には、前記係合突起部が遊嵌状態で挿入される係合受け部が設けられ、前記係合突起部または前記係合受け部のいずれかは、前記取付部材の天面および底面のそれぞれに設けられていることを特徴とする。
【手続補正３】
【補正対象書類名】明細書
【補正対象項目名】００１０
【補正方法】変更
【補正の内容】
【００１０】
本発明の光学装置では、前記調整部材は、前記光束入射側端面に取り付けられる本体と、前記本体から光束入射側に突出し、前記取付部材を挟持する一対の腕部とを備え、前記一対の腕部には、他方の前記腕部に向けて突出する前記係合突起部がそれぞれ形成され、前記取付部材における天面および底面には、前記係合突起部に対応して凹状の前記係合受け部がそれぞれ形成されていることが好ましい。
【手続補正４】
【補正対象書類名】明細書
【補正対象項目名】００１１
【補正方法】変更
【補正の内容】
【００１１】
ここで、係合突起部が例えばピンにより構成され、係合受け部が、前記ピンが遊嵌状態で挿入される孔により構成され、ピンの延長方向に沿って取付部材を動かすことで反射型光変調装置の位置調整を行う場合、反射型光変調装置や反射型偏光板が取り付けられて重量のある取付部材を、ピンにより支持するために、ピンを大型化させなければならず、これに伴って孔も大型化させなければならないので、光学装置が大型化してしまうという問題がある。
これに対し、本発明によれば、係合突起部を係合受け部内に位置付け、係合受け部の延長方向に沿って取付部材を動かすことで反射型光変調装置の位置調整を行うとともに、一対の腕部により取付部材を保持する構成としたので、ピンに比べて小さな腕部によって取付部材を保持することができ、小型化できる。
【手続補正５】
【補正対象書類名】明細書
【補正対象項目名】００１２
【補正方法】変更
【補正の内容】
【００１２】
本発明の光学装置では、前記取付部材における前記各側壁部には、前記係合受け部に接続し、前記各側壁部に交差する他の側壁部に向けて延びる挿入用溝がそれぞれ形成され、前記係合突起部は、前記取付部材を前記一対の腕部間に差し込むことで、前記挿入用溝を介して前記係合受け部内に位置付けられることが好ましい。
本発明によれば、係合受け部に接続する挿入用溝が形成されており、取付部材を一対の腕部間に差し込むことで、係合突起部を、挿入用溝を介して係合受け部内に位置付けることができるので、一対の腕部を開いて係合受け部内に係合突起部を位置付ける構成に比べ、容易に係合突起部を係合受け部内に位置付けることができる。
【手続補正６】
【補正対象書類名】明細書
【補正対象項目名】００１３
【補正方法】変更
【補正の内容】
【００１３】
本発明の光学装置では、前記係合受け部は、前記光束入射側端面に直交する第１方向に沿って延びるように形成され、前記挿入用溝は、前記第１方向に直交する第２方向に傾斜して延びるように形成されていることが好ましい。
本発明によれば、挿入用溝は第２方向に対して傾斜しているので、反射型光変調装置のアライメント調整において取付部材や調整部材を第２方向に移動させる際に、係合突起部が挿入用溝を介して係合受け部から外れてしまうことを防止できる。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
本発明の光学装置では、前記複数の反射型光変調装置にて変調され前記複数の反射型偏光板にて偏光分離された光束がそれぞれ入射する複数の光学素子を備え、前記取付部材は、内部の空間に連通する３つの開口部が形成された中空部材で構成され、前記３つの開口部は、前記反射型光変調装置、前記反射型偏光板、および前記光学素子にてそれぞれ閉塞されていることが好ましい。
【手続補正９】
【補正対象書類名】明細書
【補正対象項目名】００１６
【補正方法】変更
【補正の内容】
【００１６】
本発明によれば、取付部材に形成された３つの開口部がそれぞれ反射型光変調装置、反射型偏光板、および光学素子により閉塞され、取付部材内部の空間が密閉されている。そして、この密閉空間内に反射型光変調装置の反射面が配置されることとなるので、反射面への粉塵の付着を防ぐことができ、反射面に付着した粉塵が投射画像中に影として映るなどの投射画像の劣化を防止できる。
【手続補正１０】
【補正対象書類名】明細書
【補正対象項目名】００１７
【補正方法】変更
【補正の内容】
【００１７】
本発明の光学装置では、前記取付部材と前記調整部材との間には、隙間が形成されていることが好ましい。
本発明によれば、取付部材と調整部材との間に隙間が形成されているので、取付部材に冷却風が送られる場合、当該冷却風が前記隙間に入り込むこととなる。そのため、取付部材の調整部材に対向する面に、例えば熱に比較的弱い透過型の偏光板などの光学素子が配置された場合には、前記冷却風により当該光学素子を冷却でき、当該光学素子の熱劣化を抑えることができる。
【手続補正１１】
【補正対象書類名】明細書
【補正対象項目名】００１８
【補正方法】変更
【補正の内容】
【００１８】
本発明のプロジェクタは、光源装置と、前述の光学装置と、投射レンズとを備えていることを特徴とする。
本発明によれば、前述の光学装置を備えているので、前述と同様の効果を奏することができる。